(57)【特許請求の範囲】
【請求項１】
ドラム又は同様な楽器のための楽器ヘッドであって、接触面、底面、及び前記接触面にランダムに設けられたスクラッチ部分及びガウジ部分からなる不均一な複数の凹陥領域を有する合成材料のシートと、前記接触面に設けられる樹脂コーティングとを備えており、該樹脂コーティングは、前記凹陥領域を充填すると共に前記接触面を覆って、概ね平坦で均一な接触面を形成するように付与されることを特徴とする楽器ヘッド。
【請求項２】
請求項１の楽器ヘッドにおいて、前記合成材料のシートがプラスチックであることを特徴とする楽器ヘッド。
【請求項３】
請求項１の楽器ヘッドにおいて、当該楽器ヘッドが部分的に透明であることを特徴とする楽器ヘッド。
【請求項４】
請求項１の楽器ヘッドにおいて、当該楽器ヘッドが部分的に半透明であることを特徴とする楽器ヘッド。
【請求項５】
請求項１の楽器ヘッドにおいて、当該楽器ヘッドが部分的に不透明であることを特徴とする楽器ヘッド。
【請求項６】
請求項１の楽器ヘッドにおいて、前記樹脂コーティングがエポキシを含むことを特徴とする楽器ヘッド。
【請求項７】
請求項１の楽器ヘッドにおいて、樹脂が充填された前記凹陥領域の外観は、前記接触面の凹陥されておらず樹脂コーティングされる領域よりも暗いことを特徴とする楽器ヘッド。
【請求項８】
ドラムヘッドの製造方法であって、
（ａ）  接触面及び底面を有する合成材料のシートを研磨して、スクラッチ部分及びガウジ部分を含む不均一な接触面を形成する工程と、
（ｂ）  前記接触面に樹脂コーティングを付与して前記スクラッチ部分及びガウジ部分を充填し、概ね平坦で均一な接触面を得る工程とを備えることを特徴とするドラムヘッドの製造方法。
【請求項９】
請求項８のドラムヘッドの製造方法において、前記合成材料のシートの前記底面に樹脂コーティングを付与する工程を含むことを特徴とするドラムヘッドの製造方法。
【請求項１０】
請求項８のドラムヘッドの製造方法において、前記合成材料がプラスチックを含むことを特徴とするドラムヘッドの製造方法。
【請求項１１】
請求項８のドラムヘッドの製造方法において、前記樹脂コーティングが、エポキシ化合物を含むことを特徴とするドラムヘッドの製造方法。
【請求項１２】
請求項８のドラムヘッドの製造方法において、前記合成材料のシートにカウンタフープを付与して、前記ドラムヘッドに張力を与えると共に、概ね円形の形状を与える工程を含むことを特徴とするドラムヘッドの製造方法。
【請求項１３】
ドラムヘッドの製造方法であって、
（ａ）  底面を有する合成材料のシートの接触面にランダムに設けられたスクラッチ部分及びガウジ部分を含む複数の凹陥領域を形成する工程と、
（ｂ）  前記接触面に樹脂コーティングを付与して前記接触面を被覆すると共に、前記接触面の前記凹陥領域の中に前記樹脂コーティングを充填して、動物の天然皮の外観を有する概ね平坦で均一な接触面を得る工程とを備えることを特徴とするドラムヘッドの製造方法。
【発明の詳細な説明】
【０００１】
【発明の属する技術分野】
本発明は、一般的に、ドラム及び同様な楽器に関し、より詳細に言えば、ドラム用のヘッドすなわちドラムヘッド（ドラムの皮）、並びに、そのようなドラムヘッドの音及び外観を改善するための方法に関する。
【０００２】
【従来の技術】
従来技術においては、種々のタイプのドラムヘッド（ドラムの皮）が周知である。米国特許第４，３０８，７８２号（発明者：Ｈａｒｔｒｙ）は、当該技術における有益な議論を行っている。米国特許第５，０９１，２４８号及び５，５８１，０４４号（発明者：Ｒｅｍｏ）も本件の主題と関係がある。
【０００３】
積層型のドラムヘッド（通常は、合成繊維のシート及びプラスチック材料のシートを接合したものから構成されている）が、トムトム及びスネアドラム（小太鼓）に関して多く用いられている。積層型のヘッド（ドラムヘッド）は、ティンパニの音（通常は１００以上の弦楽器、管楽器及び打楽器によって囲まれている管弦楽団（オーケストラ）の編成の中で通常聞かれる）を出すために用いられることは多くはない。積層型のヘッドは、単純に、交響曲の編成の中で役割を果たすドラムが必要とする共鳴音及び全音の度及び音質を出さない。
【０００４】
一般的に、ティンパニヘッド（ティンパニの皮）は、積層体から構成されていない。ティンパニヘッドは、通常、ＭＹＬＡＲ（登録商標、強化ポリエステルフィルム）の如きプラスチックの一枚のシート、又は、動物の天然皮から形成されている。ティンパニヘッドは、大型のオーケストラの中で効果的な打楽器音を提供するために必要な音質及び音量を出すために、十分に振動しなければならない。プラスチックのヘッドは、オーケストラ編成において、十分に共鳴せず、最適なレベルで演奏するに完全に十分な音を出さない。そのようなヘッドは、適正なピッチコントロールを受けず、音が減衰する欠点がある。上述のヘッドは、また、多くの音楽家が感動的ではないと感ずる特徴的なプラスチック音を有している。積層型のドラムヘッドは、基本的にはその構造の性質及び複雑性のために、所望のティンパニ音を出すのに適したように振動又は共鳴しない。
【０００５】
動物の皮は、特に低音域において、音楽家が一般的に好むより洗練された共鳴音を出す。ピッチコントロールは、動物の皮から構成されたドラムヘッドではかなり容易である。しかしながら、動物の皮は、合成材料よりも高価である。また、皮は、湿分を吸収する傾向を有しており、そのような湿分の吸収は、ドラムヘッドが出す音質及びピッチに大きな悪影響を与えることがある。場所又は土地毎の気象条件に応じて、ティンパニの音が異なり、場合によっては大幅に異なることがある。
【０００６】
本発明は、本物の皮により近い外観及び演奏機能を有するヘッドを提供するように構成された一枚のプラスチック材料製のシートから形成されたヘッドを採用することによって、上述の従来技術の問題点を解消するものである。粒度（粗度）が変化する（すなわち、細かい粒度から粗い粒度まで）布ヤスリを用いて、プラスチック材料を研磨し、その後、そのようなプラスチック材料の両面（両側）にエポキシ樹脂を被覆する。そのような樹脂は、ヘッドの表面を覆うと共に、上記研磨作業によって形成されたスクラッチ領域及びガウジ領域に溜まる。樹脂が溜まった上記領域は、種々の陰影を生じて、ヘッドに本物の皮の外観を与える傾向がある。この改善されたヘッドは、より良く共鳴し、従来技術のどのようなヘッドに較べても、十分な倍音又は上音を有している。本発明のヘッドは、どのような大きな欠点も生ずることなく、本物の動物の皮の外観を有している。この改善されたドラムヘッドの製造方法も提供される。
【０００７】
【発明が解決しようとする課題】
従って、本発明の目的は、動物の天然皮の外観を有する人工的な（合成の）ドラムヘッドを提供することである。本発明の別の目的は、動物の天然皮の品質を生ずるより洗練された音を有する人工的なドラムヘッドを提供することである。本発明の更に別の目的は、動物の天然皮の外観及び音質を有するドラムヘッドを構成するプラスチック材料製の一枚のシートを提供することである。本発明の更に別の目的は、ドラムヘッドの色調、触感及び視覚に関する品質を改善することのできる人工的なドラムヘッドを提供することである。本発明の更に別の目的は、容易に、効率的に且つ比較的廉価に製造することのできる人工的なドラムヘッドを提供することである。
【０００８】
本発明の更に別の目的は、本発明のドラムヘッドの製造方法を提供することである。本発明の更に別の目的は、通常の欠点を生ずることなく動物の天然皮の外観及び音を生ずるドラムヘッドを合成材料の一枚のシートから製造する方法を提供することである。本発明の他の目的及び利点は、本発明の好ましい実施例を図示している図面を参照して以下の記載を読むことにより明らかとなろう。
【０００９】
【課題を解決するための手段】
本発明の改善は、動物の天然皮の風合い及び外観を与える多様な色つきの陰影を有する表面を含む合成プラスチック製のシート材料から構成された、ドラム又は同様な種類の楽器のヘッドを提供する。上記多様な陰影の効果は、布ヤスリ又は他の適宜な材料でヘッドの表面を研磨又は粗面化するプロセスによって、得られる。一般的に、細かい（細粒の）研磨が、小さな表面のスクラッチを生じさせ、一方、より粗い（粗粒の）布ヤスリを用いるより激しい研磨が、ヘッドの表面により深い切り溝すなわちガウジを生ずることになる。エポキシであるのが好ましい樹脂のコーティングが、表面に付与され、上記表面のスクラッチ領域及びガウジ領域の中により集中した状態で溜まる。
【００１０】
スクラッチ又はガウジが深くなればなる程、より多くの樹脂が溜まって、そのような特定の領域の陰影をより濃くする。そのような多様でランダムに配列された色つきの陰影によって生ずるドラムヘッドの表面の歪みが、ヘッドに動物の天然皮の外観を与える。この改善されたヘッドは、また、従来技術の他の人工的なヘッドが出す倍音（上音）よりも多くの共鳴音及び全音を発生する。本発明は、また、上記改善されたドラムヘッドの製造方法も提供し、この製造方法は、合成材料のシートの接触面を粗面化して、寸法及び深さが変化する複数のスクラッチ及びガウジを形成する工程と、上記接触面に樹脂を付与して、該表面を被覆すると共に、種々の凹陥領域を充填し、これにより、全体的に動物の天然皮の現実味のある外観を有するほぼ平坦で均一な表面を得る工程とを備えている。
【００１１】
【発明の実施の形態】
図面を詳細に参照すると、図１は、ＭＹＬＡＲ（登録商標）の如きプラスチックから形成されている一枚のシート材料１２から最初は構成される本発明の斜視図であり、上記シート材料からドラムヘッド（ドラムの皮）１０が形成される。シート材料１２は、種々のスクラッチ部分（引っ掻き傷が形成された部分）１５ａ及びガウジ部分（丸のみで溝が形成されている部分）１５ｂを含む部分１５を備えており、これら部分は、表面１６の上に又は該表面の中に形成されている。表面１６の上記粗面化された領域は、異なる等級（異なる粒度又は粗度）の布ヤスリ、又は、上記領域をランダムに研磨する（すなわち、ヤスリをかける）のに適した何等かの他の材料を用いて、形成される。
【００１２】
表面１６は、最初に、粗粒の（すなわち、粗い）布ヤスリ１４で研磨される。そうすることが適当であり且つ望ましい場合には、より粗い粒度の布ヤスリ（図示せず）を用いて、より深い一連のスクラッチ部分又はガウジ部分を表面１６に形成することができる。エポキシ樹脂１８、又は、同様な他の適する材料を表面１６上にコーティングとして付与する。樹脂１８は、表面１６を覆い、また、スクラッチ部分及びガウジ部分から成る領域１５の中に溜まって、多様なパターンの色のついた陰影を形成する。浅いスクラッチ部分に溜まる樹脂の量は少なく、従って、浅いスクラッチ部分は、より多くの光線を通過させるので、色が薄く見える傾向がある。対照的に、深いスクラッチ部分又はガウジ部分に溜まる樹脂の量は多く、従って、そのような深いスクラッチ部分又はガウジ部分の色は濃く見える。当然にして、ヘッドの表面を覆っている樹脂の陰影は、最も薄い。このようなまだら模様のドラムヘッドは、動物の天然皮の外観と同様な外観を示す。
【００１３】
天然皮と同様に、ドラムヘッド１０は、コントロールピッチ（ｃｏｎｔｒｏ１１ｅｄ  ｐｉｔｃｈ）をより多く受ける。ドラムヘッドは、天然皮と同様な態様で振動し、同様な共鳴音を発生する。ドラムヘッドは、また、同じ程度の倍音を生み出す。従来技術に採用されているプラスチックヘッド（プラスチックのヘッド）は、そのような特性及び機能を欠いており、交響楽団が発生する音の品質及びレベルを完遂するに必要な洗練された完全な音を発生しない。
【００１４】
本発明は、交響楽団で演奏されるタイプの大型のケトルドラムと組み合わせられるティンパニヘッド（ティンパニの皮）として採用することができる。ドラムヘッド１０は、音楽の要件、及び、音楽家の個人的な趣味を含む種々のファクタに応じて、トムトム、スネアドラム（小太鼓）、バスドラム（大太鼓）、及び、事実上他の総てのタイプの音楽用ドラムに取り付けて使用することができる。
【００１５】
本発明の方法は、ＭＹＬＡＲ（登録商標）の如きプラスチック製のシート材料１２を、粒度（粗度）が変化する布ヤスリ１４又は他の適宜な材料を用いて、研磨する工程を備えている。そのような研磨は、機械（図示せず）又は手１７によって行われる。最初に、表面１６は、その全体にわたって軽く研磨される。繊細な研磨作業が、若干不均一なヘッド面を形成する。この粗いすなわち粗面化された状態は、材料の表面張力を阻害して、より良好な全体的な振動及び音をドラムから発生させる。より粗い粒度の布ヤスリ１４を用いて、特定の領域により粗い表面１６を形成し、細かい粒度の布ヤスリと同様に、ランダムに付与することができる。通常、これらの領域は深くて、単なる一連のスクラッチ部分ではなく、ガウジ部分のように見える。樹脂１８を用いて、表面１６及び底面２０を被覆する。次に、上記樹脂を硬化させる。カウンタフープ１９を取り付けて、ヘッド１０に強度、張力及び形態を与える。
【００１６】
樹脂１８を表面１６に付与する際には、その領域の寸法及び特定の凹部の深さに応じて、異なる量の樹脂がスクラッチ部分及びガウジ部分の中に溜まる。浅いスクラッチ部分及びガウジ部分に溜まる樹脂の量は少なく、従って、その外観は明るくて、大きな透明度が与えられる。深いスクラッチ部分及びガウジ部分に溜まる樹脂の量は多く、従って、その外観は暗くてより不透明になる。ヘッド１０の上に及び該表面の中に分散される陰影が多様なパターンを有するという効果を含む全体的な効果が、全体的に動物の天然皮の外観を与える。
【００１７】
本発明は、特定の好ましい実施例に関して説明したが、本発明をそのような特定の実施例に限定する意図はない。そうではなく、請求の範囲によって画定される本発明の精神及び範囲に含まれる総ての代替例、変更例及び均等物を保護することを意図している。
【図面の簡単な説明】
【図１】本発明が研磨されている状態を示す斜視図である。
【図２】本発明の断面を示す斜視図であって、研磨プロセスによってスクラッチ部分及びガウジ部分が形成された表面領域を拡大して明瞭に示している。
【図３】図１の線３−３に沿って本発明を示す横断面図である。
【図４】本発明の横断面図であって、樹脂コーティングされた表面、及び、スクラッチ部分及びガウジ部分の中に種々の量だけ溜まった樹脂を示している。
【図５】カウンタフープに取り付けられ該カウンタフープの中で組み立てられている本発明の改善されたドラムヘッドの斜視図である。
【符号の説明】
１０  ドラムヘッド
１２  シート材料
１４  布ヤスリ
１５  凹陥領域（凹部）
１５ａ  スクラッチ部分
１５ｂ  ガウジ部分
１６  表面（接触面）
１８  樹脂
１９  カウンタフープ
【図１】
0004184460.tif 000002
【図２】
0004184460.tif 000003
【図３】
0004184460.tif 000004
【図４】
0004184460.tif 000005
【図５】
0004184460.tif 000006